(57)【要約】【課題】装置内部の発熱の排出を使用者によって阻害されない撮像装置を提供すること。【解決手段】撮像装置は、外部から内部に空気を吸入するための吸気口が形成された本体部と、本体部の内部に保持されたファンと、本体部の上方に固定されるハンドル部と、本体部に固定するためにハンドル部に形成され、本体部の内部の空気を排出するための排気口が形成された固定部と、を有する。【選択図】図１
2015186255.tif 000002
【特許請求の範囲】
【請求項１】
外部から内部に空気を吸入するための吸気口が形成された本体部と、
前記本体部の内部に保持されたファンと、
前記本体部の上方に固定されるハンドル部と、
前記本体部に固定するために前記ハンドル部に形成され、前記本体部の内部の空気を排出するための排気口が形成された固定部と、を有することを特徴とする撮像装置。
【請求項２】
前記排気口は、前記固定部の側面に形成されていることを特徴とする請求項１に記載の撮像装置。
【請求項３】
前記固定部は、前記撮像装置の前方側に形成された前方固定部と、前記撮像装置の後方側に形成された後方固定部と、を有し、
前記排気口は、前記後方固定部に形成されていることを特徴とする請求項１または２に記載の撮像装置。
【請求項４】
被写体を撮影するための光学レンズ部に撮像素子を取り付けた撮影光学ユニットを更に有し、
前記ファンは、前記撮影光学ユニットの後方に配置されていることを特徴とする請求項１から３のいずれか１項に記載の撮像装置。
【請求項５】
前記ファンの回転面は、前記撮像装置の上方から見て、撮影光軸に垂直な方向から所定の角度だけ傾いていることを特徴とする請求項１から４のいずれか１項に記載の撮像装置。
【請求項６】
前記排気口は、スリット状に形成され、外部から内部の間に上方に向かって傾斜する面が形成されていることを特徴とする請求項１から５のいずれか１項に記載の撮像装置。
【請求項７】
前記ファンから前記排気口までの空気の流路となるダクトを更に有することを特徴とする請求項１から６のいずれか１項に記載の撮像装置。
【請求項８】
前記ダクトは、前記ファンから後方かつ上方に向かって、形成されていることを特徴とする請求項７に記載の撮像装置。
【発明の詳細な説明】
【技術分野】
【０００１】
本発明は、強制空冷構造を備える撮像装置に関する。
【背景技術】
【０００２】
特許文献１では、回路基板の発熱を放熱フィンに伝熱し装置内の空気を暖めるとともに、内蔵ファンを回転させて装置下面の吸気口から空気を吸入し、装置上面の排気口から空気を排出させるような対流を装置内を通過させて放熱する撮像装置が提案されている。この撮像装置は、熱の対流が下から上に流れることを利用しており、効果的に放熱可能である。
【先行技術文献】
【特許文献】
【０００３】
【特許文献１】特許第４０１９５０２号
【発明の概要】
【発明が解決しようとする課題】
【０００４】
しかしながら、特許文献１では、屋外等で機動性を必要とした撮影を行う場合、撮影者は、ハンドル部を把持した状態で撮影を行ったり本体筐体の上面を手で支えて撮影したりしやすいため、本体上面の排気口を誤って塞いでしまう可能性がある。その場合、放熱効果が低下してしまう。
【０００５】
このような課題を鑑みて、本発明は、装置内部の発熱の排出を使用者によって阻害されない撮像装置を提供することを目的とする。
【課題を解決するための手段】
【０００６】
本発明の一側面としての撮像装置は、外部から内部に空気を吸入するための吸気口が形成された本体部と、前記本体部の内部に保持されたファンと、前記本体部の上方に固定されるハンドル部と、前記本体部に固定するために前記ハンドル部に形成され、前記本体部の内部の空気を排出するための排気口が形成された固定部と、を有することを特徴とする。
【発明の効果】
【０００７】
本発明によれば、装置内部の発熱の排出を使用者によって阻害されない撮像装置を提供することができる。
【図面の簡単な説明】
【０００８】
【図１】本発明の実施形態に係る撮像装置の外観斜視図である。
【図２】撮像装置の平面図である。
【図３】図２（ａ）のＡ−Ａ線断面図である。
【図４】撮像装置の外観カバーを除いたメインユニットの斜視図である。
【図５】撮像装置の内部流路を構成する主要構成部の説明図である。
【図６】撮像装置の内部流路を構成する主要構成部の側面図である。
【図７】図６の各断面線の断面図である。
【図８】排気口の拡大図である。
【発明を実施するための形態】
【０００９】
以下、本発明の実施例について、図面を参照しながら詳細に説明する。各図において、同一の部材については同一の参照番号を付し、重複する説明は省略する。
【００１０】
まず、図１，２を用いて、撮像装置１００の外観構成について説明する。図１は、本発明の実施形態に係る撮像装置１００の外観斜視図である。図１（ａ）はレンズを正面に斜め上方から見た図、図１（ｂ）はバッテリを正面に斜め下方から見た図である。図２は、撮像装置１００の平面図で、図２（ａ）は上面図、図２（ｂ）は側面図である。撮像装置１００は、本体筐体１、撮影レンズ２、ハンドル部３、表示部４、電源スイッチ５、ビューファインダー６、マイク７、グリップ部８、バッテリ９、およびトリガーボタン１３を有する。本体筐体（本体部）１には、外部から空気を吸入する複数のスリットである吸気口２１ａ，２１ｂがグリップ部８側の底面と側面に形成されている。吸気口２１ａ，２１ｂから吸入された空気は本体筐体１の内部で暖められ、本体筐体１の内部に設けられた後述するファンによって表示部４側の側面に形成された複数のスリット状の排気口２０から排出される。排気口２０は、ハンドル部３の後方固定部３ｂの側面に形成されている。撮像レンズ（光学レンズ部）２は、撮像面に結像させる光学レンズと、光学レンズを保持する保持部材を有する。ハンドル部３は、本体筐体１の上部に配置され、撮像装置１００の前方側に形成された前方固定部３ａ、後方側に形成された後方固定部３ｂによって本体筐体１に固定されている。前方固定部３ａと後方固定部３ｂとの間には、撮影者がハンドル部３を把持できるような把持開口３ｃが形成されている。表示部４は、本体筐体１に対して前方に設けられたヒンジ部（不図示）によって、本体筐体１に対して開閉および回転可能に固定されている（図中では、表示部４が本体筐体１に対して閉じた状態を示している）。電源スイッチ５は、スライドさせることで撮像装置１００を撮影モード/電源オフ/再生モードに切り替え可能である。
【００１１】
次に、図３，４を用いて、撮像装置１００の内部構成について説明する。図３は、撮影光軸に平行で鉛直方向に切断した本体内部を表す図２（ａ）のＡ−Ａ線断面図である。図４は、本体筐体１の外観面を形成するカバーを除いたメインユニットの斜視図である。撮影光学ユニット１１は、撮影レンズ２と、撮影レンズ２に固定され、撮像素子を含む撮像ユニット１０を有する。撮影光学ユニット１１の撮影光軸の後方には、撮像データを記録する記録媒体ユニット１２が配置されている。記録媒体ユニット１２の後方にはファン２４が配置され、ファン２４の上方には排気ダクト２３が接続されている。排気ダクト２３はファン２４との接続部から上方、かつ、後方まで形成され、排気口２０のスリット部側には排気開口が形成されている。ハンドル部３は後方にビューファインダー６を固定しており、ビューファインダー６は接眼部６ａに撮影者が接眼したときにバッテリ９が邪魔にならないような撮影光軸方向の位置に配置される。また、ハンドル部３の把持開口３ｃは、撮影ブレを回避するため、撮影光学ユニット１１の近くで把持されるように形成されている。これらにより、ハンドル部３の後方固定部３ｂは撮影光軸方向の前後幅を大きくし、内部スペース、および、側面の面積が確保される。そのため、後方固定部３ｂ側面に形成される排気口２０の開口面積を広く確保できる。
【００１２】
図５〜８を用いて、吸気口２１ａ，２１ｂから排気口２０に至るまでの撮像装置１００の内部流路を構成する主要構成部について説明する。図５は、主要構成部の説明図である。図５（ａ）は、主要構成部を斜め上方から見た斜視図、図５（ｂ）は図５（ａ）の展開図、図５（ｃ）は主要構成部を斜め下方から見た斜視図、図５（ｄ）は図５（ｃ）の展開図である。図６は、主要構成部の平面図である。図６（ａ）はハンドル部３の上方から見た上面図、図６（ｂ）は撮影レンズ２の被写体側から見た正面図、図６（ｃ）は表示部４側から見た側面図である。図７は、図６の各断面線の断面図である。図７（ａ）と図７（ｂ）は、それぞれ図６（ｃ）のＢ−Ｂ線断面図、図６（ａ）のＣ−Ｃ線断面図であり、いずれもファン２４と排気ダクト２３との関係図である。図７（ｃ）は、図６（ｃ）のＤ−Ｄ線断面図であり、ファン開口と排気ダクト開口との関係図である。図７（ｄ）は、図６（ａ）のＥ−Ｅ線断面図であり、吸気口２１ａ，２１ｂと吸気ダクト２７との関係図である。図８は、排気口２０の拡大図である。図８（ａ）は排気口２０の正面図、図８（ｂ）は図８（ａ）のＦ−Ｆ線断面図である。
【００１３】
図７（ｄ）に示されるように、吸気口２１ａ，２１ｂの内部には、ひとつのまとまった空間２１ｃが形成されている。空間２１ｃは、吸気ダクトベース２７ａと吸気ダクトカバー２７ｂが合体して内部空洞が形成された吸気ダクト２７の吸気開口２７ｃに繋がっている。吸気口２１ａ，２１ｂから入った空気はどちらから入っても吸気開口２７ｃに流入していく。これにより、例えば、本体筐体１を地面において使用した場合、吸気口２１ａが塞がれてしまう可能性はあるが、吸気口２１ｂは塞がれないため、空気の吸入は阻害されない。
【００１４】
吸気ダクトベース２７ａの裏側には、制御基板２９が配置されている。制御基板２９上の発熱素子は、導熱部材３０を挟んで吸気ダクトベース２７ａに接触している。撮像装置１００の動作時に制御基板２９上の発熱素子が発熱すると導熱部材３０を介して吸気ダクトベース２７ａに伝えられる。そして、吸気ダクトベース２７ａの吸気ダクトカバー２７ｂ側には複数のフィン２７ｄが形成されており、フィン２７ｄの表面から放熱されると吸気ダクト２７内の空気が暖められる。吸気ダクト２７には排気開口２７ｅが形成されており、ファン２４の吸気開口２４ａと向き合った状態で、吸気ダクト２７とファン２４は固定される。ファン２４の内部には回転羽根２４ｂが設けられ、回転羽根２４ｂの上方には排気開口２４ｃが形成されている。排気開口２４ｃが排気ダクト２３に形成された吸気開口２３ａと向き合った状態で、ファン２４と排気ダクト２３は固定される。また、排気ダクト２３にはバッテリ９の上方に排気開口２３ｂが形成され、その外側には排気口２０が形成されている。こうして、吸気口２１，２２から排気口２０までの空間が繋がっている。排気ダクト２３をバッテリ９の上方にまで延長して形成したことで、排気ダクト２３の排気開口２３ｂ、および、排気口２０をハンドル部３の後方固定部３ｂの側面に配置できる。
【００１５】
次に、撮像装置１００の動作時の冷却過程について説明する。電源スイッチ５の操作により撮影モードの状態である撮像装置１００において、トリガーボタン１３が操作されると撮影が開始され記録媒体ユニット１２にデータが記録される。制御基板２９の制御回路が動作すると、発熱素子が発熱し、熱は導熱部材３０を介して吸気ダクトベース２７ａに伝えられフィン２７ｄから吸気ダクト２７内の空気が暖められる。また、制御基板２９の制御回路はファン２４にも通電制御を行っているため、ファン２４の回転羽根２４ｂが回転する。吸気ダクト２７内の暖められた空気は、ファン２４の吸気開口２４ａからファン２４内に吸入され、ファン２４の排気開口２４ｃから排気ダクト２３の吸気開口２３ａへと送り出される。そして、排気ダクト２３の内部を通った後、排気ダクト２３の排気開口２３ｂを通過し、排気口２０から外部に排出される。吸気ダクト２７内の空気は、吸気口２１ａ，２１ｂから新たな空気が継続して吸入されるため、排気口２０から排出され続ける。
【００１６】
図７において、ファン２４と排気ダクト２３の空気の流れを説明する。図７（ａ）に示されるように、ファン２４内部の回転羽根２４ｂが反時計回転方向へ回転することによって、ファン２４の吸気開口２４ａから吸入した空気は排気ダクト２３内部に送られていく。送られた空気のうち、回転部外側流路３１ａは、風速が速いが排気口２０の下側のスリットの直前で急激に流れの方向を変える必要があるため、排気口２０の下側のスリットからの排気量が少なくなる。一方、回転部内側流路３１ｂは、排気ダクト２３の内壁斜面２３ｃにガイドされ、なだらかな流れで排気口２０に導かれるため、抵抗も小さく空気の流量が多くなるとともに排気口２０の下側のスリットにも導かれる。そのため、ファン２４の吸気開口２４ａから吸入した空気は、排気口２０の上下に並んだ複数の開口に分散して排出される。
【００１７】
図７（ｂ）において、排気ダクト２３は、ファン２４の排気開口２４ｃから後方かつ上方に流路が形成されている。排気ダクト２３内において、外側流路３２ａは曲率が大きいＲ２側の流路を通るため、抵抗が小さく、流量が多くなり、内側流路３２ｂは曲率が小さいＲ１側の流路を通るため、抵抗が大きく、流量が少なくなる。
【００１８】
図７（ｃ）に示されるように、撮影レンズ２の撮影光軸Ｚに垂直な方向から所定の角度だけ傾かせることで、回転羽根２４ｂの回転面Ｙの撮影光軸Ｚに対する角度が鈍角である角度Ａ１になっている。ファン２４の排気開口２４ｃの開口幅Ｄ１に対して、排気ダクト２３の吸気開口２３ａは開口幅Ｄ２である。このとき、回転部外側流路３１ａに対する回転部内側流路３１ｂの光軸方向の開口を見てみると三角形状に回転部外側流路３１ａ側、かつ、外側流路３２ａ側が拡大幅Ｄ３分広がっている。このため、風速の速い回転部外側流路３１ａ、かつ、抵抗の小さい外側流路３２ａの流路を多く確保でき、前述のスリット直前での流れの方向の変化による排気流量低下を補い、排気口２０からの排出量を増やす効果が得られる。
【００１９】
図８の排気口２０の複数のスリット内部には、図８（ｂ）に示されるように、外部から排気ダクト２３側に上方に向かって傾斜した傾斜面２０ａが形成されている。このため、外観面にごみや雨水が矢印５０のように上方から落ちてきて、排気口２０のスリットの口元に落下しても、ごみや雨水は内部に侵入しにくくなっている。また、排気口２０から排出される空気は、排気ダクト２３の内壁斜面２３ｃにガイドされ、排気口通過流路３３は図のように上方から下方に向かって流れている。そのため、排気口２０の傾斜面２０ａは空気の流れの抵抗とはならず、排気口２０のスリットの口元に落下付着したごみや雨水を外側へ吹き出す。
【００２０】
以上、本発明の好ましい実施形態について説明したが、本発明はこれらの実施形態に限定されず、その要旨の範囲内で種々の変形及び変更が可能である。
【符号の説明】
【００２１】
１              本体筐体（本体部）
３              ハンドル部
３ｂ            後方固定部（固定部）
２０            排気口
２１ａ，２１ｂ  吸気口
２４            ファン
【図１】
2015186255.tif 000003
【図２】
2015186255.tif 000004
【図３】
2015186255.tif 000005
【図４】
2015186255.tif 000006
【図５】
2015186255.tif 000007
【図６】
2015186255.tif 000008
【図７】
2015186255.tif 000009
【図８】
2015186255.tif 000010